(57)【要約】【課題】  簡単な構造で電気光学パネルの省スペース化を図ることができ、更なる薄型化、小型化が可能な電気光学装置及びその電気光学装置を用いた電子機器を提供すること。【解決手段】  フレキシブル基板３の本体部２４及び右側分岐部２５を折り曲げ、偏光板１２から張出した第１基板７の第１張出し部１６に右側分岐部２５の一部を配置し接着固定することとしたので、液晶表示装置１の表示面となる偏光板１２より該偏光板分窪んだ部分にフレキシブル基板の右側分岐部２５を配置でき、少なくともその窪んだ分だけ液晶表示装置１の厚さを薄くすることが可能となる。【選択図】  図１
2006098633.tif 000002
【特許請求の範囲】
【請求項１】
電気光学物質を保持する第１基板と、前記第１基板の前記電気光学物質と反対側に配置された光学部材と、前記第１基板に接続される配線が設けられたフレキシブル回路基板とを備えた電気光学装置において、
前記第１基板は、前記光学部材から張出した第１張出し部を有し、
前記フレキシブル回路基板は、前記第１基板の前記第１張出し部側とは反対側で接続され、前記第１基板に接続された本体部と該本体部から突出する枝部を有し、
前記本体部及び枝部は、前記電気光学物質側に折り曲げられ、
前記折り曲げられた枝部の一部は、さらに前記光学部材側に折り曲げられ、前記第１張出し部に配置されていることを特徴とする電気光学装置。
【請求項２】
前記第１基板に対向し該第１基板とで前記電気光学物質を狭持する第２基板を更に備え、  前記第１基板は、前記第２基板から張出した第２張出し部を有し、
前記フレキシブル回路基板は、前記第２張出し部に接続されていることを特徴とする請求項１に記載の電気光学装置。
【請求項３】
電気光学物質を保持する第１基板と、前記第１基板に対向し該第１基板とで前記電気光学物質を狭持する第２基板と、前記第１基板の前記電気光学物質と反対側に配置された光学部材と、前記第１基板に接続される配線が設けられたフレキシブル回路基板とを備えた電気光学装置において、
前記第１基板は、前記光学部材から張出した第１張出し部と前記第２基板から張出した第２張出し部とを有し、
前記フレキシブル回路基板は、前記第２張出し部の前記電気光学物質側に接続され、前記第１基板に接続された本体部と該本体部から突出する枝部を有し、
前記本体部及び枝部は、前記第１基板に接続された側と反対側が前記光学部材側に折り曲げられて、
前記折り曲げられた本体部の一部は、前記第１張出し部に配置され、
前記折り曲げられた枝部の一部は、さらに前記第２張出し部側に折り曲げられ、該第２張り出し部に前記枝部の一部が配置されていることを特徴とする電気光学装置。
【請求項４】
前記第１基板は、略矩形状をなし、
前記第２張出し部に、前記電気光学物質を駆動する電子部品が前記第１基板の一辺側に片寄って更に備えられ、
前記枝部の一部は、前記電子部品を避けるように、前記一辺側とは前記第２張出し部を介して対向する他辺側に配置されていることを特徴とする請求項３に記載の電気光学装置。
【請求項５】
前記第２基板に光を導く導光板を更に備え、
前記本体部には、光源が実装されており、
前記光源は、前記フレキシブル回路基板を折り曲げることで、前記導光板の端面に面するように配置されていることを特徴とする請求項２に記載の電気光学装置。
【請求項６】
少なくとも前記第１基板及び第２基板を保持するフレームを更に備え、
前記導光板は、前記第２基板と前記フレームとの間に配置され、
前記フレームの底部には、前記光源を挿入するための開口部が設けられていることを特徴とする請求項５に記載の電気光学装置。
【請求項７】
少なくとも前記第１基板を保持するフレームを更に備え、
前記フレキシブル回路基板の本体部及び枝部は、少なくとも前記フレームの外面の一部に沿うように折り曲げられていることを特徴とする請求項１から請求項５のうちいずれか一項に記載の電気光学装置。
【請求項８】
前記フレームの外面は、前記本体部及び枝部の少なくともいずれか一方のうち前記外面に沿う部分の少なくとも一部が納まるような凹部を有することを特徴とする請求項６又は請求項７に記載の電気光学装置。
【請求項９】
前記枝部は、前記本体部を介して両側から夫々第１及び第２枝部として突出していることを特徴とする請求項１から請求項８のうちいずれか一項に記載の電気光学装置。
【請求項１０】
前記枝部は、前記本体部を介して両側から夫々第１及び第２枝部として突出しており、
前記フレームは、略矩形状をなし、
前記第１枝部は、前記フレームの一辺側の外面に沿うように折り曲げられ、
前記第２枝部は、前記フレームの前記一辺側と対向する他辺側の外面に沿うように折り曲げられていることを特徴とする請求項６から請求項８のうちいずれか一項に記載の電気光学装置。
【請求項１１】
前記第１枝部の一部は、第２枝部の少なくとも一部を覆うように該第２枝部に接着されていることを特徴とする請求項９又は請求項１０に記載の電気光学装置。
【請求項１２】
請求項１から請求項１１のうちいずれか一項に記載の電気光学装置を備えたことを特徴とする電子機器。
【発明の詳細な説明】
【技術分野】
【０００１】
本発明は、パーソナルコンピュータや携帯電話機等に用いられる電気光学装置及びその電気光学装置を用いた電子機器に関する。
【背景技術】
【０００２】
従来、パーソナルコンピュータや携帯電話機等といった電子機器の表示装置として液晶表示装置等の電気光学装置が広く用いられている。
【０００３】
ところが、パーソナルコンピュータや携帯電話機等はより小型化、薄型化が求められており、例えば一対の基板間に液晶を狭持してなる液晶パネルに接続されたフレキシブル回路基板を折り曲げて配置する等の方法が提案されている（例えば、特許文献１参照。）。
【特許文献１】特開平１１−３４４７１９号公報（段落[００１０]、図１）。
【発明の開示】
【発明が解決しようとする課題】
【０００４】
しかしながら、上述の方法により小型化が図られ非表示領域を小さくし、製造コストを低減することが可能となったが、電子機器の高性能化、多機能化により例えば液晶パネルに接続されたフレキシブル回路基板に多種多様な機能が要求されるようになり、該フレキシブル回路基板を折畳んで省スペース化を図っても、電子機器の薄型化、小型化の更なる要求に対応しきれないという問題が生じていた。
【０００５】
本発明は、上述の課題に鑑みてなされるもので、簡単な構造で電気光学パネルの省スペース化を図ることができ、更なる薄型化、小型化が可能な電気光学装置及びその電気光学装置を用いた電子機器を提供することを目的とする。
【課題を解決するための手段】
【０００６】
上記目的を達成するために、本発明の主たる観点に係る電気光学装置は、電気光学物質を保持する第１基板と、前記第１基板の前記電気光学物質と反対側に配置された光学部材と、前記第１基板に接続される配線が設けられたフレキシブル回路基板とを備えた電気光学装置において、前記第１基板は、前記光学部材から張出した第１張出し部を有し、前記フレキシブル回路基板は、前記第１基板の前記第１張出し部側とは反対側で接続され、前記第１基板に接続された本体部と該本体部から突出する枝部を有し、前記本体部及び枝部は、前記電気光学物質側に折り曲げられ、前記折り曲げられた枝部の一部は、さらに前記光学部材側に折り曲げられ、前記第１張出し部に配置されていることを特徴とする。ここで、「光学部材」とは、例えば液晶パネルで液晶側と反対側のガラス基板上に配置された偏光板のことである。
【０００７】
本発明は、本体部及び枝部を折り曲げ、光学部材から張出した第１基板の第１張出し部にフレキシブル回路基板の枝部の一部を配置することとしたので、電気光学装置の表示面となる光学部材より該光学部材分窪んだ部分である第１張出し部にフレキシブル回路基板の枝部を配置でき、少なくともその窪んだ分電気光学パネルの厚さを薄くすることが可能となる。
【０００８】
本発明の一の形態によれば、前記第１基板に対向し該第１基板とで前記電気光学物質を狭持する第２基板を更に備え、前記第１基板は、前記第２基板から張出した第２張出し部を有し、前記フレキシブル回路基板は、前記第２張出し部に接続されていることを特徴とする。これにより、例えば枝部を折畳む必要がなく、しかも表示面である光学部材の表面より窪んでいる第１張出し部に枝部を配置できるので、折り畳みによる回路の切断を防ぎ更に電気光学パネルの厚さを薄くすることが可能となる。
【０００９】
本発明の他の観点に係る電気光学装置は、電気光学物質を保持する第１基板と、前記第１基板に対向し該第１基板とで前記電気光学物質を狭持する第２基板と、前記第１基板の前記電気光学物質と反対側に配置された光学部材と、前記第１基板に接続される配線が設けられたフレキシブル回路基板とを備えた電気光学装置において、前記第１基板は、前記光学部材から張出した第１張出し部と前記第２基板から張出した第２張出し部とを有し、前記フレキシブル回路基板は、前記第２張出し部の前記電気光学物質側に接続され、前記第１基板に接続された本体部と該本体部から突出する枝部を有し、前記本体部及び枝部は、前記第１基板に接続された側と反対側が前記光学部材側に折り曲げられて、前記折り曲げられた本体部の一部は、前記第１張出し部に配置され、前記折り曲げられた枝部の一部は、さらに前記第２張出し部側に折り曲げられ、該第２張り出し部に前記枝部の一部が配置されていることを特徴とする。
【００１０】
本発明は、フレキシブル回路基板の本体部及び枝部の第１基板に接続された側と反対側が光学部材側に折り曲げられて、該折り曲げられた枝部の一部は、さらに第２張出し部側に折り曲げられ、第２張り出し部に枝部の一部が配置されているので、第１基板側にフレキシブル回路基板を配置し電気光学物質を駆動するドライバー等をまとめることができるのでより小型化、薄型化を図ることができる。また、フレキシブル回路基板の本体部が第１張出し部に配置されているので、少なくとも第１張出し部が光学部材表面より窪んでいる分電気光学パネルの厚さを薄くできる。
【００１１】
本発明の一の形態によれば、前記第１基板は、略矩形状をなし、前記第２張出し部に、前記電気光学物質を駆動する電子部品が前記第１基板の一辺側に片寄って更に備えられ、前記枝部の一部は、前記電子部品を避けるように、前記一辺側とは前記第２張出し部を介して対向する他辺側に配置されていることを特徴とする。ここで「電子部品」とは例えば液晶駆動用ドライバー等をいう。これにより、電子部品が実装された第２張出し部に当該電子部品を避けて枝部の一部を配置することができ、電子部品上にフレキシブル回路基板の枝部を配置することによる電気光学パネルの厚さが厚くなること等を防止することが可能となる。
【００１２】
本発明の一の形態によれば、前記第２基板に光を導く導光板を更に備え、前記本体部には、光源が実装されており、前記光源は、前記フレキシブル回路基板を折り曲げることで、前記導光板の端面に面するように配置されていることを特徴とする。これにより、例えばフレキシブル回路基板の光源が実装された本体部側とは反対側である第１張出し部に配置された枝部により、該本体部を電気光学パネルに向かって固定できるので、電気光学パネルに固定された導光板から本体部が浮いて、光源が導光板から上下方向にずれてしまうことを防げる。従って、光源から射出する光を確実に導光板に入射させることができる。勿論、枝部は表示面より窪んだ第１張出し部に接着するので電気光学パネル自体の厚さも薄くでき、省スペース化が図れる。
【００１３】
本発明の一の形態によれば、少なくとも前記第１基板及び第２基板を保持するフレームを更に備え、前記導光板は、前記第２基板と前記フレームとの間に配置され、前記フレームの底部には、前記光源を挿入するための開口部が設けられていることを特徴とする。これにより、例えば導光板の受光面に光源をフレームの外側から正確に挿入し配置することができ表示精度の向上を図ることができる。また、フレキシブル回路基板に実装された光源をフレーム内に挿入できるので省スペース化が図れ、電気光学装置の更なる小型化が可能となる。
【００１４】
本発明の一の形態によれば、少なくとも前記第１基板を保持するフレームを更に備え、前記フレキシブル回路基板の本体部及び枝部は、少なくとも前記フレームの外面の一部に沿うように折り曲げられていることを特徴とする。これにより、本体部及び枝部が該フレームを巻き込みながらそのフレーム内の第１張出し部に本体部の一部または枝部の一部が配置されることとなり、該フレーム内に第１基板等がしっかり押え込まれ、例えば電気光学パネルのフレームからの飛び出しや位置ずれ等を防止できることとなる。また、本体部及び枝部がフレームの外面の一部に沿うように折り曲げられているので、フレキシブル回路基板の該フレームからの張出しをより少なくすることができ、電気光学装置の小型化をより図ることが可能となる。
【００１５】
本発明の一の形態によれば、前記フレームの外面は、前記本体部及び枝部の少なくともいずれか一方のうち前記外面に沿う部分の少なくとも一部が納まるような凹部を有することを特徴とする。これにより、本体部や枝部のフレーム外面からのはみ出しをより少なくできるので電気光学装置の小型化、薄型化をより図ることが可能となる。また、本体部や枝部を容易に該凹部に収めることができ、該本体部や枝部の位置決めがより容易となる。
【００１６】
本発明の一の形態によれば、前記枝部は、前記本体部を介して両側から夫々第１及び第２枝部として突出していることを特徴とする。これにより、例えば第１枝部と第２枝部とで異なる場所に配置できるので、フレキシブル回路基板としての機能を更に拡張させることができる。
【００１７】
本発明の一の形態によれば、前記枝部は、前記本体部を介して両側から夫々第１及び第２枝部として突出しており、前記フレームは、略矩形状をなし、前記第１枝部は、前記フレームの一辺側の外面に沿うように折り曲げられ、前記第２枝部は、前記フレームの前記一辺側と対向する他辺側の外面に沿うように折り曲げられていることを特徴とする。これにより、例えば第１枝部と第２枝部とで異なる場所に配置できるので、フレキシブル回路基板としての機能を更に拡張させることができる。また、フレームの両側からそのフレーム内の第１張出し部に第１及び第２枝部の一部を接着させることができ、該フレーム内に第１基板等が更にしっかり押え込まれ、例えば電気光学パネルのフレームからの飛び出しや位置ずれ等をより強固に防止できることとなる。
【００１８】
本発明の一の形態によれば、前記第１枝部の一部は、第２枝部の少なくとも一部を覆うように該第２枝部に接着されていることを特徴とする。これにより、第１枝部が第２枝部を例えば引っ張りながら固定することができるのでより強く第２枝部がフレームの外面に巻き付き、より強固に電気光学パネルのフレームからの飛び出しや位置ずれ等を防止できる。
【００１９】
本発明の他の観点にかかる電子機器は、上述に記載の電気光学装置を備えたことを特徴とする。
【００２０】
本発明は、簡単な構造で電気光学パネルの省スペース化等を図ることができる電気光学装置を備えるので、より薄型、小型化が図られ、製造コストが低減された品質の高い電子機器を提供することができる。
【発明を実施するための最良の形態】
【００２１】
以下、本発明に実施形態を図面に基づき説明する。なお、以下実施形態を説明するにあたっては、電気光学装置の例として液晶表示装置、具体的には反射半透過型のパッシブマトリックス方式の液晶表示装置、また、その液晶表示装置を用いた電子機器について説明するが、これに限られるものではない。また、以下の図面においては各構成をわかりやすくするために、実際の構造と各構造における縮尺や数等が異なっている。
【００２２】
（第１の実施形態）
【００２３】
図１は本発明の第１の実施形態に係る液晶表示装置の概略斜視図、図２は図１のＡ−Ａ線断面図（液晶駆動用ＩＣ及び光源は切断していない。）及び図３は液晶表示装置の概略分解斜視図である。
【００２４】
（液晶表示装置の構成）
【００２５】
液晶表示装置１は、例えば図１、図２及び図３に示すように液晶パネル２、その液晶パネル２の後述する基板に接続されたフレキシブル回路基板としてのフレキシブル基板３、更に液晶パネル２に光を照射する照明装置４、当該液晶パネル２と照明装置４とを保持するフレーム５等を有する。ここで、液晶表示装置１には、フレーム５の他にもその他の付帯機構が必要に応じ付設される（図示しない）。
【００２６】
液晶パネル２は例えば図１、図２及び図３に示すようにシール材６を介して貼り合わされた基板である第１基板７及び第２基板８と、両基板の隙間に封入された電気光学物質、例えばＳＴＮ（Ｓｕｐｅｒ  Ｔｗｉｓｔｅｄ  Ｎｅｍａｔｉｃ）型の液晶９とを有し、フレーム５内に第１基板７側が表示面となるように収容されている。
【００２７】
第１基板７には、例えば図２及び図３に示すように液晶側表面に、複数のセグメント電極１０が所定のパターンで形成されており、そのセグメント電極１０の上（液晶側）にはオーバーコート層１１が形成され、更にその上に図示しない配向膜が形成されている。また、第１基板７の外側（液晶９と反対側）には光学部材としての偏光板１２等が配置されている。
【００２８】
更に第１基板側の表示面には、例えば図１に示すように内側に略矩形状の液晶の駆動により画像等が表示される表示領域Ｂとその周囲の見切り部分や第１基板７の後述する張出し部等の画像等が表示されない非表示領域Ｃとが形成されている。
【００２９】
一方、第２基板８には、例えば図２及び図３に示すように液晶側表面に複数のコモン電極１３が所定のパターンで形成されており、そのコモン電極１３の上（液晶側）にはオーバーコート層１４が形成され、更にその上に図示しない配向膜が形成されている。また、第２基板８の外側（液晶９と反対側）には偏光板１５等が配置されている。
【００３０】
尚、第１基板７及び第２基板８のいずれか一方の内側表面には図示しないが必要に応じて下地層、反射層、着色層及び光遮蔽層等を形成する。
【００３１】
ここで、第１基板７及び第２基板８は、図１、図２及び図３に示すように例えばガラスや合成樹脂といった光透過性材料から形成された板状部材であり、第１基板７は偏光板１２に対し外側（図１、図２及び図３中のＹ軸方向）に張出した第１張出し部１６を有している。
【００３２】
これにより、図１及び図２に示すように第１基板の表示面側に偏光板１２の端部で段を形成するように偏光板１２の分（図１中のＤ）だけ窪み、例えば第１基板７が露出した略矩形状の第１張出し部１６を形成することとなる。従って、当該第１張出し部１６に後述するようにフレキシブル基板３の枝部の一部が配置されても、その窪みに収容される厚さ分（図１中のＤ）液晶表示装置１の厚さが薄くなる。
【００３３】
また、第１基板７は第２基板８に対し外側へ（図２及び図３中のＹ軸方向）張出した第２張出し部１７を有している。
【００３４】
セグメント電極１０は、例えばＩＴＯ（Ｉｎｄｕｉｕｍ  Ｔｉｎ  Ｏｘｉｄｅ）の透明導電材料でストライプ状に複数形成されているが、図２及び図３に示すように一方方向（図中のＹ軸方向）で平行になるように形成されている。
【００３５】
また、コモン電極１３はセグメント電極１０と同様にＩＴＯ等の透明導電材料でストライプ状に複数形成されているが、図２及び図３に示すようにセグメント電極１０と交差するように図中のＸ軸方向に形成されている。
【００３６】
第２張出し部１７は、例えば図２及び図３に示すようにセグメント電極１０及びコモン電極１３がシール材６で囲まれる領域から当該第２張出し部１７に延びたセグメント電極用配線１８及びコモン電極用配線１９、その各電極用配線に例えば液晶駆動用電流を供給する液晶駆動用ＩＣ２０等を有する。
【００３７】
また、第２張出し部１７はフレキシブル基板３等からの電流を受取る外部用端子２１、その外部からの電流を液晶駆動用ＩＣ２０に供給する図示しない入力用配線等を有する。
【００３８】
液晶駆動用ＩＣ２０は、例えばフレキシブル基板３及び外部用端子２１を介して表示画像等に関わる各種の信号を受信すると、この信号に応じた駆動用信号を生成するものであり、その駆動用信号はセグメント電極用配線１８及びコモン電極用配線１９に供給される。
【００３９】
次に、フレキシブル基板３は例えば図１、図２及び図３に示すようにベース基材２２（２２ａ，２２ｂ）の上に配線パターン２３（２３ａ，２３ｂ）が形成されると共に図示しないコンデンサーやＩＣ等の電子部品が実装されている。ここで、ベース基材２２（２２ａ，２２ｂ）は可撓性を有するフイルム状の部材であり、配線パターン２３（２３ａ，２３ｂ）は例えば銅等から形成されている。また、図示しないが例えばフレーム５等に固定される面には両面接着シートが接着されている。これにより、後述するようにフレキシブル基板３によって液晶パネル等のフレーム５からの飛び出しや位置ずれ等を防ぐことが可能となる。
【００４０】
更にフレキシブル基板３は、本体部２４と、該本体部２４から突出する枝部としての右側分岐部２５とを有しており、該右側分岐部２５は図示しない外部回路に電気的に接続されている。
【００４１】
また、本体部２４は液晶パネル側の端に図示しない本体部接続用端子が形成されており液晶パネル２の外部用端子２１に図示しないＡＣＦ（Ａｎｉｓｏｔｒｏｐｉｃ  ｃｏｎｄｕｃｔｉｖｅ  ｆｉｌｍ）を介して電気的に接続されている。
【００４２】
更に本体部２４は、例えば図１、図２及び図３に示すように第１基板７に接続された側と反対側が、フレーム５の外側に一旦出て、そのフレーム５の外壁に沿い第２基板８側（液晶側）に回りこむように折り曲げられ、フレーム５の底部に該本体部２４の先端が接着固定されている。
【００４３】
また、右側分岐部２５は例えば図１、図２及び図３に示すように本体部２４の右側から分岐しており、該本体部２４のベース基材２２ａ上に設けられた配線パターン２３ａの一部が右側分岐部２５のベース基材２２ｂ上に設けられた配線パターン２３ｂに電気的に接続されている。
【００４４】
更に右側分岐部２５は、例えば図１に示すようにフレーム５の底部に固定された本体部２４の図面に向かって略右側から突出して延設されており、フレーム５の外面である側壁に沿うように第２基板側から第１基板側（偏光板１２側）に回りこむように折り曲げられ、表示面側で窪んだ第１張出し部１６にその一部が接着固定されている。また、右側分岐部２５は、例えば図１に示すように接着固定された部分の更に先に延設されており、例えばその先の端部に外部回路に電気的に接続するための図示しないコネクタ等が設けられている。
【００４５】
これにより、表示面より一段窪んだ第１張出し部１６にフレキシブル基板３の右側分岐部２５の一部を配置することで、省スペース化が図れ、液晶表示装置１をより薄型化できる。
【００４６】
また、右側分岐部２５を第２基板側から第１基板側（偏光板１２側）に回り込ませるように折り曲げたことで、小さく折畳むことによる右側分岐部２５上の配線パターン２３ｂが途中で断線する危険を防ぐことができる。
【００４７】
次に照明装置４は、例えば図２及び図３に示すようにフレーム５内に収められており、液晶パネル２（第２基板８）と該フレーム５の凹部の内部底面とに挟まれている。
【００４８】
具体的には光源２６、導光板２７、２枚のプリズムシート２８，２９、拡散シート３０、反射シート３１及び遮光シート３２等を有する。
【００４９】
光源２６は例えばＬＥＤ（Ｌｉｇｈｔ  Ｅｍｉｔｔｉｎｇ  Ｄｉｏｄｅ）が用いられ、図２及び図３に示すように本体部２４のベース基材２２ａ上に実装されている。更に光源２６は、該本体部２４を図１に示すようにフレーム５の開口部を覆うように折り曲げたときに第１基板７の第２張出し部１７側の導光板２７の端面である受光面に該光源２６からの光が入射するように配置されている。
【００５０】
また、導光板２７は例えば図２及び図３に示すように略矩形状をなし、光源２６から入射された光を拡散シート３０の全体に照射させるものであり、プリズムシート２８，２９は導光板２７から射出された光の輝度を向上させるものである。
【００５１】
更に遮光シート３２は例えば図２及び図３に示すように中央部分が少なくとも第１基板７の表示に関与する領域である表示領域Ｂと一致するように開口部が形成された額縁状に形成されており、第１張出し部１６等の表示に関与できない非表示領域Ｃの光を遮蔽している。また、遮光シート３２は例えば液晶パネル側は黒色でプリズムシート側は白色等の光を反射する構成としてもよい。これにより、光源２６等から漏れた光を遮光シート３２で反射し、外部からの光も黒色面で吸収され例えば液晶駆動用ＩＣ２０への反射による影響を少なくさせることができる。
【００５２】
ここで、導光板２７の光の射出面側には例えば拡散シート３０、２枚のプリズムシート２８，２９及び遮光シート３２の順に配置されており、導光板２７の射出面と反対側には反射シート３１が配置されている。更に導光板２７、拡散シート３０、２枚のプリズムシート２８，２９及び反射シート３１は略同じ大きさを有している。
【００５３】
次に、フレーム５は例えば図１、図２及び図３に示すように液晶パネル２側に開放された略矩形状の箱型の形状で内側に凹部３３を有しており、その凹部３３に丁度照明装置４及び液晶パネル２が収まるように形成されている。具体的には、その凹部３３の内側底面３４と照明装置４の例えば反射シート３１とが図示しない両面接着シート等により接着固定されている。
【００５４】
また、フレーム５は図１、図２及び図３に示すように底部としての内側底面３４と、液晶パネル２の側面に対応するように平行に形成されると共に、液晶パネル２の非表示領域Ｃ（第１張出し部１６）を挟むように形成された相対向する第１の側壁３５（図３中、第１張出し部１６に向かって右側の側壁）及び第２の側壁３６（図３中、第１張出し部１６に向かって左側の側壁）とを有し、更に当該第１及び第２の側壁に挟まれた液晶パネル２の第１張出し部側の第３の側壁３７を有する。
【００５５】
更に第１の側壁３５には、第２の側壁３６とで第１張出し部付近を挟むように第１側壁凹部３８を有し、第３の側壁３７は該第３の側壁３７の略中央に第３側壁凹部４０が形成されている。
【００５６】
ここで、第１側壁凹部３８は表示面側の第１の側壁３５の上面（図中のＺ軸方向に向く面）が例えば図３に示すように第１張出し部１６付近で該上面から底面方向（図中のＺ軸方向）に向けて略フレキシブル基板の右側分岐部２５の厚さ分凹んでおり、その凹み３８ａの横幅は該右側分岐部２５の幅分になるよう形成されている。
【００５７】
また、第１側壁凹部３８はその上面側の凹みと反対側の底面とに挟まれる外面（図中のＸ軸方向に向く面）もその外面から内側に向けて（図中のＸ軸方向）右側分岐部２５の厚さ分凹んでおり、その凹み３８ｂの横幅は該右側分岐部２５の幅分になるよう形成されている。これにより、右側分岐部２５の貼付けにより右側分岐部２５がフレーム５の第１の側壁３５からはみ出ることがなく液晶表示装置１を小型化でき、更に右側分岐部２５の位置決めが容易となる。
【００５８】
更に第３側壁凹部４０は、表示面側の第３の側壁３７の上面（図中のＺ軸方向に向く面）が例えば図２及び図３に示すように略中央付近で該上面から底面方向（図中のＺ軸方向）に向けて略第１基板７と外部用端子２１及びフレキシブル基板の本体部２４の厚さの合計分凹んでおり、その凹み４０ａの横幅は該本体部２４の幅分になるよう形成されている。
【００５９】
また、第３側壁凹部４０はその上面側の凹みと反対側の底面とに挟まれる外面（図中のＹ軸方向に向く面）もその外面から内側に向けて（図中のＹ軸方向）本体部２４の厚さ分凹んでおり、その凹み４０ｂの横幅は該本体部２４の幅分になるよう形成されている。これにより、フレキシブル基板３の本体部２４の貼付けにより本体部２４がフレーム５の第３の側壁３７からはみ出ることがなく液晶表示装置１を小型化でき、更に本体部２４の位置決めが容易となる。
【００６０】
更に内側底面３４には、例えば図２及び図３に示すように第２張出し部１７に略重なるように開口部４１が設けてある。
【００６１】
また、開口部４１は図２に示すように本体部２４によりフレーム５の外側から覆われ、丁度当該本体部２４に実装されている光源２６がその開口部４１からフレーム内部に挿入されて導光板２７の図示しない受光面に配置されるように形成されている。
【００６２】
次に、フレキシブル基板３は図１及び図２に示すように第１基板７の外部用端子２１に電気的に接続された本体部２４が、例えば第３側壁凹部４０の上面側の凹み４０ａから一旦フレーム５の外側に延びて第２基板側（液晶側）に折り曲げられ、そのまま該第３側壁凹部４０の外面の凹み４０ｂを伝う。更に該本体部２４は、該第３側壁凹部４０の下面側からフレーム５の底に回りこんで開口部４１を覆い、その本体部２４の端部が内側底面３４の反対面に接着されている。勿論、該本体部２４はその他の第３側壁凹部４０等との接触面にも接着されている。
【００６３】
また、本体部２４から分岐した右側分岐部２５は例えば図１及び図３に示すように第１側壁凹部３８の上面側と反対側から一旦フレーム５の外側に延びてそのまま該第１側壁凹部３８の外面の凹み３８ｂを伝い接着されている。
【００６４】
更に外面の凹み３８ｂに接着された右側分岐部２５は、第２基板側から第１基板側（偏光板１２側）に折り曲げられ、該第１側壁凹部３８の上面側の凹み３８ａからフレーム５内に戻り、第１張出し部１６の図１中のＸ軸方向で中央右寄りの表面にその一部が配置され接着されている。
【００６５】
また、その右側分岐部２５の先端は例えば図１に示すように第３側壁凹部４０の上面側の凹み４０ａから本体部２４の上を通りフレーム５の外に延在されることとなる。尚、その先端部は例えばコネクタ等により図示しない外部回路に電気的に接続されている。
【００６６】
尚、上述した開口部４１は図２及び図３に示すようにフレーム５の底面（内部底面）のフレキシブル基板側が切り取られている構造として形成されているが、これに限られるものではなく、例えば穴や切欠き、略矩形状等、光源２６に対応する部分にフレーム５が存在しない部分が設けられているものであればよい。
【００６７】
また、上述の第１側壁凹部３８及び第３側壁凹部４０の夫々の上面側及び外面の凹みは夫々右側分岐部２５及び本体部２４の厚さ及び幅と略同じ大きさで凹んでいるとしたが、これに限られるものではなく例えばそれらの大きさより少し大きめであっても勿論よい。これにより、多少の誤差もカバーできることとなり製造コストを低減できる。
【００６８】
更に第１及び第２の側壁３５，３６のフレキシブル基板３がかかる箇所が一部切りかかれており、液晶パネル２の表示側面と各側壁上面との間に段差がないように構成されていることが好ましい。これにより、接着基材であるフレキシブル基板３が液晶パネル２の第１張出し部１６等の表面から浮くことを防ぐことができる。
【００６９】
（液晶表示装置の製造方法）
【００７０】
次に、以上のように構成された液晶表示装置１の製造方法についてフレキシブル基板３を液晶パネル２及びフレーム５に接着する工程を中心に説明する。
【００７１】
図４はフレームに照明装置及び液晶パネルを収納した状態の説明図及び図５はフレキシブル基板の本体部を折り曲げた状態の説明図である。
【００７２】
まず、概知の方法により液晶パネル２及び照明装置４を製造し用意する。
【００７３】
次に、図４に示すようにフレーム５の内側底面３４に図示しない両面接着シートにより照明装置４の反射シート側を接着させ、更にその上に液晶パネル２の第２基板側を配置し、照明装置４及び液晶パネル２をフレーム５の凹部３３内に収容する。
【００７４】
その際、第１基板７の外部用端子２１に図示しないＡＣＦを介し電気的に接続されたフレキシブル基板３の本体部２４は、図４に示すように第３側壁凹部４０の上面側の凹み４０ａから一旦フレーム５の外に出す。
【００７５】
そして、フレーム５の外に出ている右側分岐部２５が付いている本体部２４を図４に示すＥの矢印の方向（第２基板側）に折り曲げ、本体部２４の端面をフレーム５の第３側壁凹部４０の下面側からフレーム５の底に回り込ませる。そして、図２及び図５に示すように該開口部４１を覆いながら本体部２４に実装されている光源２６を開口部４１から挿入して導光板２７の受光面にセットし、フレーム５の内側底面３４の反対側面の端部に本体部２４の端部を図示しない両面接着シートで接着する。
【００７６】
その際、本体部２４の右側から分岐している右側分岐部２５は、図５に示すように第１側壁凹部３８側の下面側からフレーム５の外側に引き出す。
【００７７】
また、フレーム５の外側に引き出した右側分岐部２５は、図５に示す矢印Ｆのように曲げて第１側壁凹部３８の外面側の凹み３８ｂに接着させ、更に第２基板側から第１基板側に折り曲げて第１側壁凹部３８の上面側の凹み３８ａで図１に示すようにフレーム５内に戻り、第１基板７の第１張出し部１６の表面の一部に接着されて、その右側分岐部２５の先端は第３側壁凹部４０の上面側の凹み４０ａから本体部２４の上を通り、フレーム５の外に引き出されることとなる。なお、右側分岐部２５の先端には外部に接続されるコネクタが設けられていても良い。
【００７８】
以上で液晶表示装置１の製造方法の説明を終了する。
【００７９】
このように本実施形態によれば、フレキシブル基板３の本体部２４及び右側分岐部２５を折り曲げ、偏光板１２から張出した第１基板７の第１張出し部１６に右側分岐部２５の一部を配置し接着固定することとしたので、液晶表示装置１の表示面となる偏光板１２より該偏光板分窪んだ部分にフレキシブル基板の右側分岐部２５を配置でき、少なくともその窪んだ分だけ液晶表示装置１の厚さを薄くすることが可能となる。
【００８０】
また、フレキシブル基板の本体部２４を第２基板側に折り曲げ、該本体部２４から突出し延設された右側分岐部２５を第２基板側から第１基板側に折り曲げることとしたので、例えば右側分岐部２５を折畳む必要がなく、折り畳みによる右側分岐部上の配線パターン２３ｂの切断を防ぐことができる。
【００８１】
更にフレキシブル基板３の本体部２４及び右側分岐部２５は、少なくともフレーム５の外面である第１の側壁３５と第３の側壁３７との一部に沿うように折り曲げられており、右側分岐部２５の一部は、第１張出し部１６に接着されているので、本体部２４や右側分岐部２５が該フレーム５を巻き込みながらそのフレーム内の第１張出し部１６に右側分岐部２５の一部が接着されることとなり、該フレーム内に第１基板等がしっかり押え込まれ、例えば液晶パネル２のフレームからの飛び出しや位置ずれ等を強固に防止できることとなる。
【００８２】
また、フレーム５の外面である例えば第１の側壁３５と第３の側壁３７とには、夫々右側分岐部２５と本体部２４との少なくとも一部が納まるような第１側壁凹部及び第３側壁凹部３８，４０を有することとしたので、本体部２４や右側分岐部２５のフレーム外面からのはみ出しを防止できる。これにより、液晶表示装置１の小型化、薄型化をより図ることが可能となる。また、本体部２４や右側分岐部２５を容易に該凹部に収めることができ、該本体部２４や右側分岐部２５の位置決めがより容易となる。
【００８３】
更に本体部２４に光源２６を実装し、該光源２６は、フレキシブル基板３を折り曲げることで、導光板２７の端面に面するように配置することとしたので、例えばフレキシブル基板３の光源２６が実装された本体部側とは反対側である第１張出し部１６に配置された右側分岐部２５により、該本体部２４を液晶パネル２に向かって固定できるので、液晶パネル２に固定された導光板２７から本体部２４が浮いて、光源２６が導光板２７から上下方向にずれてしまうことを防げる。従って、光源２６から射出する光を確実に導光板２７に入射させることができる。勿論、右側分岐部２５は表示面より窪んだ第１張出し部１６に接着するので液晶パネル自体の厚さも薄くでき、省スペース化が図れる。
【００８４】
また、フレーム５の底部には、光源２６を挿入するための開口部４１が設けられているので、例えば導光板２７の受光面に光源２６をフレーム５の外側から正確に挿入し配置することができ表示精度の向上を図ることができる。また、フレキシブル基板３に実装された光源２６をフレーム内に挿入できるので省スペース化が図れ、液晶表示装置１の更なる小型化が可能となる。
【００８５】
（変形例１）
【００８６】
次に、本発明に係る液晶表示装置の第１の実施形態の変形例１について説明する。本変形例１においては両側面にフレキシブル基板の２つの分岐部が接着されている点が第１の実施形態と異なるのでその点を中心に説明する。尚、第１の実施形態の構成要素と共通する構成要素については、第１の実施形態の構成要素と同一の符号を付しその説明を省略する。
【００８７】
図６は変形例１の液晶表示装置の概略斜視図及び図７は変形例１のフレームの概略斜視図である。
【００８８】
液晶表示装置１０１は、例えば図６に示すように液晶パネル２、その液晶パネル２の基板に電気的に接続されたフレキシブル回路基板としてのフレキシブル基板１０３、更に液晶パネル２に光を照射する図示しない照明装置４及び当該液晶パネル２と照明装置４とを保持するフレーム１０５等を有する。ここで、液晶表示装置１０１には、フレーム１０５の他にもその他の付帯機構が必要に応じ付設される（図示しない）。
【００８９】
フレキシブル基板１０３は、例えば図６に示すようにベース基材１２２（１２２ａ，１２２ｂ，１２２ｃ）の上に図示しない配線パターン１２３（１２３ａ，１２３ｂ，１２３ｃ）が形成されると共にやはり図示しない光源２６、コンデンサーやＩＣ等の電子部品が実装されている。
【００９０】
また、フレキシブル基板１０３は本体部１２４と、図６中の第１張出し部１６に向かってフレーム１０５の底部から第１基板側に折れ曲がるように、液晶パネル２の外部用端子側と反対側の本体部１２４の端部から突出し延設された第１枝部としての右側の右側分岐部１２５と、同様に本体部１２４の端部から突出し延設された第２枝部としての左側の左側分岐部１２６とを有している。
【００９１】
更に本体部１２４は、液晶パネル側の端に図示しない本体部接続用端子が形成されており液晶パネル２の外部用端子２１に図示しないＡＣＦを介して電気的に接続されている。
【００９２】
次に、フレーム１０５は例えば図７に示すように液晶パネル２側に開放された略矩形の箱型の形状で内側に凹部３３を有しており、その凹部３３に丁度照明装置４及び液晶パネル２が収まるように形成されている。
【００９３】
また、フレーム１０５は図６及び図７に示すように底部としての内側底面３４と、液晶パネル２の側面に対応するように平行に形成されると共に、液晶パネル２の第１張出し部１６を挟むように形成された相対向する第１の側壁３５（図６中、第１張出し部１６に向かって右側の側壁）及び第２の側壁１３６（図６中、第１張出し部１６に向かって左側の側壁）とを有し、更に当該第１及び第２の側壁に挟まれた液晶パネル２の第１張出し部側の第３の側壁３７を有する。
【００９４】
ここで、第２の側壁１３６には第１側壁凹部３８に対応するように第２側壁凹部１３９が形成されている。
【００９５】
第２側壁凹部１３９は、表示面側の第２の側壁１３６の上面（図中のＺ軸方向に向く面）が例えば図６に示すように張出し部１６付近で該上面から底面方向（図中のＺ軸方向）に向けて略フレキシブル基板の左側分岐部１２６の厚さ分凹んでおり、その凹み１３９ａの横幅は該左側分岐部１２６の幅分になるよう形成されている。
【００９６】
また、第２側壁凹部１３９はその上下面に挟まれる外面（第１側壁凹部の外面と反対側の）もその外面から内側に向けて（第１側壁凹部と反対方向）左側分岐部１２６の厚さ分凹んでおり、その凹み１３９ｂの横幅は該左側分岐部１２６の幅分になるよう形成されている。これにより、左側分岐部１２６の貼付けにより左側分岐部１２６がフレーム１０５の第２の側壁１３６からはみ出ることがなく液晶表示装置１０１を小型化でき、更に左側分岐部１２６の位置決めが容易となる。
【００９７】
次に、上述のフレーム１０５に関係させてフレキシブル基板１０３を更に詳述する。
【００９８】
まず、本体部１２４は例えば図６及び図７に示すように第１の実施形態と同様にフレーム１０５の第３側壁凹部４０の上面側の凹み４０ａから一旦フレーム１０５の外側に延びて、そのまま第２基板側に折り曲げられ該第３側壁凹部４０の外面の凹み４０ｂを伝い、更に該第３側壁凹部４０の下面側からフレーム１０５の底に回り込み開口部４１を覆い、フレーム１０５の内側底面３４の反対面に接着されている。
【００９９】
次に、右側分岐部１２５は例えば図６及び図７に示すように開口部４１を覆う本体部１２４の右側から分岐しており、該本体部１２４のベース基材１２２ａ上に設けられた配線パターン１２３ａの一部が右側分岐部のベース基材１２２ｂ上に設けられた配線パターン１２３ｂに電気的に接続されている。
【０１００】
また、右側分岐部１２５は例えば図６に示すように第１側壁凹部３８の上面側と反対側の下面側から一旦フレーム１０５の外に出て曲り、第１側壁凹部３８の外面の凹み３８ｂを伝い、更に第２基板側から第１基板側に折れ曲がり該第１側壁凹部３８の上面側の凹み３８ａからフレーム内に戻り、液晶パネル２の非表示領域でもある第１張り出し部１６の中央右寄りに接着されている。また、右側分岐部１２５は第１張出し部１６に一部が接着された後、更に第３側壁凹部４０の上面側凹み４０ａから本体部１２４の上を通りフレーム１０５の外に延在されている。
【０１０１】
次に、左側分岐部１２６は例えば図６に示すように開口部４１を覆う本体部１２４の左側から分岐しており、該本体部１２４のベース基材１２２ａ上に設けられた配線パターン１２３ａの一部が左側分岐部のベース基材１２２ｃ上に設けられた配線パターン１２３ｃに電気的に接続されている。
【０１０２】
また、左側分岐部１２６は例えば図６に示すように第２側壁凹部１３９の上面側と反対側の下面側から一旦フレーム１０５の外に出て曲り、第２側壁凹部１３９の外面の凹み１３９ｂを伝い、更に第２基板側から第１基板側に折れ曲がり該第２側壁凹部１３９の上面側の凹み１３９ａからフレーム内に戻り、液晶パネル２の非表示領域でもある張り出し部１６の中央左寄りに接着されている。また、左側分岐部１２６は第１張出し部１６に一部が接着された後、更に第３側壁凹部４０の上面側凹み４０ａから本体部１２４の上を通りフレーム１０５の外に延在されている。
【０１０３】
尚、第２側壁凹部１３９の上面側及び外面の凹みは左側分岐部１２６の厚さ及び幅と略同じ大きさで凹んでいるとしたが、これに限られるものではなく例えばそれらの大きさより少し大きめであっても勿論よい。これにより、多少の誤差もカバーできることとなる。
【０１０４】
更に第２の側壁１３６のフレキシブル基板１０３がかかる箇所が一部切りかかれており、液晶パネル２の表示側面と側壁上面との間に段差がないように構成されていることが好ましい。これにより、フレキシブル基板１０３が液晶パネル２の第１張出し部１６等の表面から浮くことを防ぐことができる。
【０１０５】
このように本変形例によれば、右側分岐部１２５は、フレーム１０５の一辺側である右辺側の外面に沿うように折り曲げられて右側分岐部１２５の一部が第１張出し部１６に接着されており、左側分岐部１２６は、フレーム１０５の右辺側と対向する他辺側である左辺側の外面に沿うように折り曲げられて左側分岐部１２６の一部が第１張出し部１６に接着されているので、液晶表示装置１０１の薄型化、小型化を図りながら夫々の分岐部にフレキシブル基板１０３としての機能を更に拡張させることができる。
【０１０６】
また、例えばフレーム１０５の両側からそのフレーム内の第１張出し部１６に左右の分岐部の一部が接着されるので、該フレーム内に第１基板等が更にしっかり押え込まれ、液晶パネル２のフレーム１０５からの飛び出しや位置ずれ等をより強固に防止できることとなる。
【０１０７】
（変形例２）
【０１０８】
次に、本発明に係る液晶表示装置の第１の実施形態の変形例２について説明する。本変形例２においては右側分岐部が左側分岐部の上に接着されている点が第１の実施形態と異なるのでその点を中心に説明する。尚、第１の実施形態及び変形例１の構成要素と共通する構成要素については、第１の実施形態及び変形例１の構成要素と同一の符号を付しその説明を省略する。
【０１０９】
図８は本変形例２の液晶表示装置の概略斜視図である。
【０１１０】
液晶表示装置２０１は、例えば図８に示すように液晶パネル２、その液晶パネル２に電気的に接続されたフレキシブル回路基板としてのフレキシブル基板２０３、更に液晶パネル２に光を照射する図示しない照明装置４及び液晶パネル２と照明装置４とを保持するフレーム１０５等を有する。ここで、液晶表示装置２０１には、フレーム１０５の他にもその他の付帯機構が必要に応じ付設される（図示しない）。
【０１１１】
フレキシブル基板２０３は、例えば図８に示すようにベース基材２２２（２２２ａ，２２２ｂ，２２２ｃ）の上に図示しない配線パターン２２３（２２３ａ，２２３ｂ，２２３ｃ）が形成されると共にやはり図示しない光源２６、コンデンサーやＩＣ等の電子部品が実装されている。
【０１１２】
また、フレキシブル基板２０３は本体部２２４と、図８中の第１張出し部１６に向かってフレーム１０５の底部から第１基板側に折れ曲がるように、液晶パネル２の外部用端子側と反対側の本体部２２４の端部から突出し延設された第１枝部としての右側の右側分岐部２２５と、同様に本体部２２４の端部から突出し延設された第２枝部としての左側の左側分岐部２２６とを有している。
【０１１３】
更に本体部２２４は、液晶パネル側の端に図示しない本体部接続用端子が形成されており液晶パネル２の外部用端子２１に図示しないＡＣＦを介して電気的に接続されている。
【０１１４】
また、本体部２２４は例えば図８に示すように変形例１と同様にフレーム１０５の第３側壁凹部４０の上面側の凹み４０ａから一旦フレーム１０５の外側に延びて、そのまま第２基板側に折り曲げられ該第３側壁凹部４０の外面の凹み４０ｂを伝い、更に該第３側壁凹部４０の下面側からフレーム１０５の底に回り込み図示しない開口部４１を覆い、フレーム１０５の内側底面３４の反対面に接着されている。
【０１１５】
次に、左側分岐部２２６は例えば図８に示すように開口部４１を覆う本体部２２４の左側から分岐しており、該本体部２２４のベース基材２２２ａ上に設けられた配線パターン２２３ａの一部が左側分岐部のベース基材２２２ｃ上に設けられた配線パターン２２３ｃに電気的に接続されている。
【０１１６】
また、左側分岐部２２６は例えば図８に示すように第２側壁凹部１３９の上面側と反対側の下面側から一旦フレーム１０５の外に出て曲り、第２側壁凹部１３９の外面の凹み１３９ｂを伝い、更に第２基板側から第１基板側に折り曲げられ該第２側壁凹部１３９の上面側の凹み１３９ａからフレーム内に戻る。
【０１１７】
そして、左側分岐部２２６は液晶パネル２の非表示領域でもある張り出し部１６の第２側壁凹部１３９付近から中央右寄りの第１側壁凹部３８付近まで延在し接着されている。
【０１１８】
次に、右側分岐部２２５は例えば図８に示すように開口部４１を覆う本体部２２４の右側から分岐しており、該本体部２２４のベース基材２２２ａ上に設けられた配線パターン２２３ａの一部が右側分岐部のベース基材２２２ｂ上に設けられた配線パターン２２３ｂに電気的に接続されている。
【０１１９】
また、右側分岐部２２５は例えば図８に示すように第１側壁凹部３８の上面側と反対側の下面側から一旦フレーム１０５の外に出て曲り、第１側壁凹部３８の外面の凹み３８ｂを伝い、更に第２基板側から第１基板側に折り曲げられ該第１側壁凹部３８の上面側の凹み３８ａからフレーム内に戻る。
【０１２０】
そして、右側分岐部２２５は第１張り出し部１６に接着されている左側分岐部２２６の図中Ｘ方向で中央右寄りの部分を覆うように左側分岐部２２６の上に接着されている。また、右側分岐部２２５は第１張出し部１６及び左側分岐部２２６に一部が接着された後、更に第３側壁凹部４０の上面側凹み４０ａから本体部２２４の上を通りフレーム１０５の外に延在されている。
【０１２１】
尚、上述の説明では左側分岐部２２７の上に右側分岐部２２５が接着されるものとして説明したがこれに限られるものではなく、例えば逆に右側分岐部２２５の上に左側分岐部２２６を接着してもよい。
【０１２２】
このように本変形例によれば、右側分岐部２２５の一部は、第１張出し部１６に接着された左側分岐部２２６の少なくとも一部を覆うように左側分岐部２２６に接着されているので、２枚の分岐部が重なっても液晶表示装置２０１の薄型化、小型化を図ることができる。
【０１２３】
また、右側分岐部２２５が左側分岐部２２６を例えば引っ張りながら固定することができ、より強く左側分岐部２２６がフレーム１０５の外面に巻き付き、より強固に液晶パネル２のフレーム１０５からの飛び出しや位置ずれ等を防止できる。
【０１２４】
（第２の実施形態）
【０１２５】
次に、本発明に係る液晶表示装置の第２の実施形態について説明する。本実施形態においては、第１の実施形態と本体部が第１張出し部に配置され枝部が第２張出し部に配置されている点が異なるのでその点を中心に説明する。尚、第１の実施形態の構成要素と共通する構成要素については、第１の実施形態の構成要素と同一の符号を付しその説明を省略する。
【０１２６】
図９は本発明の第２の実施形態に係る液晶表示装置の概略斜視図、図１０は図９のＧ−Ｇ線断面図（液晶駆動用ＩＣ及び光源は切断していない。）及び図１１はフレームの概略斜視図である。
【０１２７】
（液晶表示装置の構成）
【０１２８】
液晶表示装置４０１は、例えば図９、図１０及び図１１に示すように液晶パネル２、その液晶パネル２の基板に接続されたフレキシブル回路基板としてのフレキシブル基板４０３、更に液晶パネル２に光を照射する照明装置４０４、当該液晶パネル２と照明装置４０４とを保持するフレーム４０５等を有する。ここで、液晶表示装置４０１には、フレーム４０５の他にもその他の付帯機構が必要に応じ付設される（図示しない）。
【０１２９】
フレキシブル基板４０３は例えば図９、図１０及び図１１に示すようにベース基材４２２（４２２ａ，４２２ｂ）の上に図示しない配線パターン４２３（４２３ａ，４２３ｂ）が形成されると共に図示しないコンデンサーやＩＣ等の電子部品が実装されている。ここで、ベース基材４２２（４２２ａ，４２２ｂ）は可撓性を有するフイルム状の部材であり、配線パターン４２３（４２３ａ，４２３ｂ）は例えば銅等から形成されている。また、図示しないが例えばフレーム４０５等に固定される面には両面接着シートが接着されている。これにより、フレキシブル基板４０３によって液晶パネル等のフレーム４０５からの飛び出しや位置ずれ等を防ぐことが可能となる。
【０１３０】
更にフレキシブル基板４０３は、本体部４２４と、該本体部４２４から突出する枝部としての右側分岐部４２５とを有しており、該右側分岐部４２５は図示しない外部回路に電気的に接続されている。
【０１３１】
また、本体部４２４は液晶パネル側の端に図示しない本体部接続用端子が形成されており液晶パネル２の外部用端子２１に図示しないＡＣＦを介して電気的に接続されている。
【０１３２】
更に本体部４２４は、例えば図９、図１０及び図１１に示すように第１基板７に接続された側と反対側が、フレーム４０５の外側に一旦出て、そのフレーム４０５の外壁に沿い第１張出し部側に回りこむように折り曲げられ、表示面側で窪んだ該第１張出し部１６に接着固定されている。
【０１３３】
また、右側分岐部４２５は例えば図９及び図１０に示すように本体部４２４の右側から分岐しており、該本体部４２４のベース基材４２２ａ上に設けられた配線パターン４２３ａの一部が右側分岐部４２５のベース基材４２２ｂ上に設けられた配線パターン４２３ｂに電気的に接続されている。
【０１３４】
更に右側分岐部４２５は、例えば図９及び図１０に示すように第１張出し部１６に固定された本体部４２４の図面に向かって略右側から突出して延設されており、フレーム４０５の外面である側壁に沿うように第１張出し部側から第２張出し部側に回りこむように折り曲げられ、第２張出し部１７にその一部が接着固定されている。
【０１３５】
具体的には、第２張出し部側に回りこんだ右側分岐部４２５は例えば図９及び図１０に示すように該第２張出し部１７に実装された液晶駆動用ＩＣ２０やそれらを固定、保護する図示しないモールド材の上から第２張出し部１７にその一部が接着固定されている。
【０１３６】
また、右側分岐部４２５は例えば図９に示すように第２張出し部１７に接着固定された部分の更に先が、フレーム４０５の開口部４４１から外に延設されており、その先の端部に外部回路に電気的に接続するための図示しないコネクタ等が設けられている。
【０１３７】
これにより、表示面より一段窪んだ第１張出し部１６にフレキシブル基板３の本体部４２４の一部を配置することで、省スペース化が図れ、液晶表示装置４０１をより薄型化できる。
【０１３８】
また、右側分岐部４２５を第１張出し部側から第２張出し部側に回り込ませるように折り曲げたことで、小さく折畳むことによる右側分岐部４２５上の配線パターン４２３ｂが途中で断線する危険を防ぐことができる。
【０１３９】
次に照明装置４０４は、例えば図１０に示すようにフレーム４０５内に収められており、液晶パネル２と該フレーム４０５の凹部の内部底面とに挟まれている。
【０１４０】
具体的には光源４２６、導光板２７、２枚のプリズムシート２８，２９、拡散シート３０、反射シート３１及び遮光シート３２等を有する。
【０１４１】
光源４２６は例えばＬＥＤが用いられ、図１０に示すようにフレーム４０５の内部底面上に導光板２７の端面である受光面に該光源４２６からの光が入射するように実装されている。
【０１４２】
次に、フレーム４０５は例えば図９、図１０及び図１１に示すように液晶パネル２側に開放された略矩形状の箱型の形状で内側に凹部４３３を有しており、その凹部４３３に丁度照明装置４０４及び液晶パネル２が収まるように形成されている。具体的には、その凹部４３３の内側底面４３４と照明装置４０４の例えば反射シート３１とが図示しない両面接着シート等により接着固定されている。
【０１４３】
また、フレーム４０５は図９、図１０及び図１１に示すように底部としての内側底面４３４と、液晶パネル２の側面に対応するように平行に形成されると共に、液晶パネル２の非表示領域Ｃ（第１張出し部１６）を挟むように形成された相対向する第１の側壁４３５（図９中、第１張出し部１６に向かって右側の側壁）及び第２の側壁３６（図９中、第１張出し部１６に向かって左側の側壁）とを有し、更に当該第１及び第２の側壁に挟まれた液晶パネル２の第１張出し部側の第３の側壁４３７を有する。
【０１４４】
更に第１の側壁４３５には、例えば図１１に示すように第２の側壁３６とで第１張出し部付近を挟むように第１側壁凹部４３８を有し、第３の側壁４３７はフレーム４０５の後述する内側底面に形成された開口部が略中央下部に続いて形成されており、その上部に第３側壁凹部４４０が設けられている。
【０１４５】
ここで、第１側壁凹部４３８は表示面側の第１の側壁４３５の上面（図中のＺ軸方向に向く面）が例えば図９及び図１１に示すように第１張出し部１６付近で該上面から底面方向（図中のＺ軸方向）に向けて略フレキシブル基板の右側分岐部４２５の厚さ分凹んでおり、その凹み４３８ａの横幅は該右側分岐部４２５の幅分になるよう形成されている。
【０１４６】
また、第１側壁凹部４３８はその上面側の凹みと反対側の底面とに挟まれる外面（図中のＸ軸方向に向く面）もその外面から内側に向けて（図中のＸ軸方向）右側分岐部４２５の厚さ分凹んでおり、その凹み４３８ｂの横幅は該右側分岐部４２５の幅分になるよう形成されている。これにより、右側分岐部４２５の貼付けにより右側分岐部４２５がフレーム４０５の第１の側壁４３５からはみ出ることがなく液晶表示装置４０１を小型化でき、更に右側分岐部４２５の位置決めが容易となる。尚、第１側壁凹部４３８の下には例えば図１１に示すようにフレーム４０５の内側底面に形成された開口部４４１が続いて設けられている。
【０１４７】
更に第３側壁凹部４４０は、表示面側の第３の側壁４３７の上面（図中のＺ軸方向に向く面）が例えば図１１に示すように略中央付近で該上面から底面方向（図中のＺ軸方向）に向けて略フレキシブル基板の本体部４２４の厚さ分或は偏光板１２の厚さ分凹んでおり、その凹み４４０ａの横幅は該本体部４２４の幅分になるよう形成されている。
【０１４８】
また、第３側壁凹部４４０はその上面側の凹みと反対側の底面とに挟まれる外面（図中のＹ軸方向に向く面）もその外面から内側に向けて（図中のＹ軸方向）本体部４２４の厚さ分凹んでおり、その凹み４４０ｂの横幅は該本体部４２４の幅分になるよう形成されている。これにより、フレキシブル基板４０３の本体部４２４の貼付けにより本体部４２４がフレーム４０５の第３の側壁４３７からはみ出ることがなく液晶表示装置４０１を小型化でき、更に本体部４２４の位置決めが容易となる。
【０１４９】
更に内側底面４３４には、例えば図１０及び図１１に示すように第２張出し部１７に略重なるように開口部４４１が設けてあり、その開口部４４１付近に光源４２６が実装されている。
【０１５０】
次に、フレキシブル基板４０３は図９及び図１０に示すように第１基板７の外部用端子２１に電気的に接続された本体部４２４が、例えば第３側壁凹部４４０の下面側の開口部から一旦フレーム４０５の外側に延びて第１張出し部側に折り曲げられ、そのまま該第３側壁凹部４４０の外面の凹み４４０ｂを伝う。更に該本体部４２４は、該第３側壁凹部４４０の上面側からフレーム４０５内に入り込み、その本体部４２４の一部が第１張出し部１６に配置され接着固定されている。勿論、該本体部４２４はその他の第３側壁凹部４４０等との接触面にも接着されている。
【０１５１】
また、本体部４２４から分岐した右側分岐部４２５は例えば図９及び図１０に示すように第１側壁凹部４３８の上面側の凹み４３８ａから一旦フレーム４０５の外側に延びてそのまま該第１側壁凹部４３８の外面の凹み４３８ｂを伝い接着されている。
【０１５２】
更に外面の凹み４３８ｂに接着された右側分岐部４２５は、第１張出し部側から第２張出し部側に折り曲げられ、該第１側壁凹部４３８の上面側と反対側の開口部からフレーム４０５内に戻り、第２張出し部１７に実装された液晶駆動用ＩＣ２０やそれらを固定、保護するモールド材の上から第２張出し部１７にその一部が配置され接着固定されている。
【０１５３】
また、その右側分岐部４２５の先端は例えば図９に示すように第３側壁凹部４４０の下面側の開口部から本体部４２４の下（図９中の開口部側）を通りフレーム４０５の外に延在されることとなる。尚、その先端部は例えばコネクタ等により図示しない外部回路に電気的に接続されている。
【０１５４】
尚、上述した開口部４４１は例えば図１１に示すようにフレーム４０５の底面（内部底面）のフレキシブル基板側が切り取られている構造として形成されているが、これに限られるものではなく、例えば穴や切欠き、略矩形状等であってもよい。
【０１５５】
また、上述の第１側壁凹部４３８及び第３側壁凹部４４０の夫々の上面側及び外面の凹みは夫々右側分岐部４２５及び本体部４２４の厚さ及び幅と略同じ大きさで凹んでいるとしたが、これに限られるものではなく例えばそれらの大きさより少し大きめであっても勿論よい。これにより、多少の誤差もカバーできることとなり製造コストを低減できる。
【０１５６】
更に第１の側壁４３５のフレキシブル基板４０３がかかる箇所が一部切りかかれており、液晶パネル２の表示側面と側壁上面との間に段差がないように構成されていることが好ましい。これにより、フレキシブル基板４０３が液晶パネル２の第１張出し部１６等の表面から浮くことを防ぐことができる。
【０１５７】
（液晶表示装置の製造方法）
【０１５８】
次に、以上のように構成された液晶表示装置４０１の製造方法についてフレキシブル基板４０３を液晶パネル２及びフレーム４０５に接着する工程を中心に簡単に説明する。
【０１５９】
まず、概知の方法により液晶パネル２及び照明装置４０４を製造し用意する。
【０１６０】
次に、フレーム４０５の内側底面４３４に両面接着シートにより照明装置４０４の反射シート側を接着させ、更にその上に液晶パネル２の第２基板側を配置し、照明装置４０４及び液晶パネル２をフレーム４０５の凹部４３３内に収容する。
【０１６１】
その際、第１基板７の外部用端子２１に図示しないＡＣＦを介し電気的に接続されたフレキシブル基板４０３の本体部４２４は、第３側壁凹部４４０の下面側の開口部から一旦フレーム４０５の外に出す。
【０１６２】
そして、フレーム４０５の外に出ている右側分岐部４２５が付いている本体部４２４を第１張出し部側に折り曲げ、本体部４２４の端面をフレーム４０５の第３側壁凹部４４０の上面側からフレーム４０５内に入り込ませる。そして、第１張出し部１６に本体部４２４の端部を両面接着シートで接着する。
【０１６３】
その際、本体部４２４の右側から分岐している右側分岐部４２５は、第１側壁凹部３８側の凹み４３８ａからフレーム４０５の外側に引き出す。
【０１６４】
また、フレーム４０５の外側に引き出した右側分岐部４２５を折り曲げて第１側壁凹部４３８の外面側の凹み４３８ｂに接着させ、更に第１張出し部側から第２張出し部側に折り曲げて第１側壁凹部４３８の下面側の開口部からフレーム４０５内に戻す。
【０１６５】
そして、第２張出し部１７に実装された液晶駆動用ＩＣ２０やそれらを固定、保護するモールド材の上から第２張出し部１７に右側分岐部４２５の一部を配置し接着固定する。
【０１６６】
更にその右側分岐部４２５の先端は、第３側壁凹部４４０の下面側の開口部から本体部４２４の下を通り、フレーム４０５の外に引き出されることとなる。なお、右側分岐部４２５の先端には外部に接続されるコネクタが設けられていても良い。
【０１６７】
以上で液晶表示装置４０１の製造方法の説明を終了する。
【０１６８】
このように本実施形態によれば、フレキシブル基板４０３の本体部４２４の外部用端子２１に電気的に接続した側と反対側を、第１張出し部側に折り曲げて該第１張出し部１６に本体部４２４の一部を配置、接着し、右側分岐部４２５を第１張り出し部側から第２張り出し部側に折り曲げ、該第２張り出し部１７に右側分岐部４２５の一部を配置、接着することとしたので、第１基板側にフレキシブル基板４０３を配置し液晶を駆動するドライバー等をまとめることができ、液晶表示装置４０１のより小型化、薄型化を図ることが可能となる。また、フレキシブル基板４０３の本体部４２４の一部が第１張出し部１６に配置されているので、少なくとも偏光板１２の表示側表面より窪んでいる分、液晶表示装置４０１の厚さを薄くすることが可能となる。
【０１６９】
また、フレキシブル基板４０３の本体部４２４及び右側分岐部４２５は、少なくともフレーム４０５の外面である第１の側壁４３５と第３の側壁４３７との一部に沿うように折り曲げられており、本体部４２４の一部は、第１張出し部１６に接着されているので、本体部４２４や右側分岐部４２５が該フレーム４０５を巻き込みながらそのフレーム内の第１張出し部１６に本体部４２４の一部が接着されることとなり、該フレーム内に第１基板等がしっかり押え込まれ、例えば液晶パネル２のフレーム４０５からの飛び出しや位置ずれ等を強固に防止できることとなる。
【０１７０】
更にフレキシブル基板４０３の本体部４２４を第１張出し部側に折り曲げ、該本体部４２４から突出し延設された右側分岐部４２５を第１張出し部側から第２張出し部側に折り曲げることとしたので、例えば本体部４２４や右側分岐部４２５を折畳む必要がなく、折り畳みによる配線パターンの切断を防ぐことができる。
【０１７１】
また、フレーム４０５の外面である例えば第１の側壁４３５と第３の側壁４３７とには、夫々右側分岐部４２５と本体部４２４との少なくとも一部が納まるような第１側壁凹部及び第３側壁凹部４３８，４４０を有することとしたので、本体部４２４や右側分岐部４２５のフレーム外面からのはみ出しを防ぐことができる。これにより、液晶表示装置４０１の小型化、薄型化をより図ることが可能となる。また、本体部４２４や右側分岐部４２５を容易に該凹部に収めることができ、該本体部４２４や右側分岐部４２５の位置決めがより容易となる。
【０１７２】
（変形例３）
【０１７３】
次に、本発明に係る液晶表示装置の第２の実施形態の変形例３について説明する。本変形例３においては右側分岐部が液晶駆動用ＩＣを避けて配置されている点が第２の実施形態と異なるのでその点を中心に説明する。尚、第１及び第２の実施形態の構成要素と共通する構成要素については、第１及び第２の実施形態の構成要素と同一の符号を付しその説明を省略する。
【０１７４】
図１２は変形例３に係る液晶表示装置の概略斜視図、図１３は図１２のＨ−Ｈ線断面図（光源は切断していない。）及び図１４はフレームの概略斜視図である。
【０１７５】
液晶表示装置５０１は、例えば図１２、図１３及び図１４に示すように液晶パネル５０２、その液晶パネル５０２の基板に接続されたフレキシブル回路基板としてのフレキシブル基板５０３、更に液晶パネル５０２に光を照射する照明装置４０４、当該液晶パネル５０２と照明装置４０４とを保持するフレーム５０５等を有する。ここで、液晶表示装置５０１には、フレーム５０５の他にもその他の付帯機構が必要に応じ付設される（図示しない）。
【０１７６】
液晶パネル５０２は例えば図１２及び図１３に示すようにシール材６を介して貼り合わされた基板である第１基板７及び第２基板８と、両基板の隙間に封入された電気光学物質、例えばＳＴＮ（Ｓｕｐｅｒ  Ｔｗｉｓｔｅｄ  Ｎｅｍａｔｉｃ）型の液晶９とを有し、フレーム５０５内に第１基板７側が表示面となるように収容されている。
【０１７７】
また、第１基板７は第２基板８に対し外側へ（図１３中のＹ軸方向）張出した第２張出し部１７を有している。
【０１７８】
第２張出し部１７は、例えばセグメント電極１０及びコモン電極１３がシール材６で囲まれる領域から当該第２張出し部１７に延びた図示しないセグメント電極用配線１８及びコモン電極用配線１９、その各電極用配線に例えば液晶駆動用電流を供給する液晶駆動用ＩＣ５２０等を有する。
【０１７９】
液晶駆動用ＩＣ５２０は、例えば図１２及び図１３に示すように第１張出し部１６側から見て第１基板７の一辺側である第２の側壁３６に片寄って第２張出し部１７に実装されている。これにより、当該一辺側の反対側である第１の側壁４３５側にスペースが空くこととなる。
【０１８０】
フレキシブル基板５０３は例えば図１２、図１３及び図１４に示すようにベース基材５２２（５２２ａ，５２２ｂ）の上に図示しない配線パターン５２３（５２３ａ，５２３ｂ）が形成されると共に図示しないコンデンサーやＩＣ等の電子部品が実装されている。ここで、ベース基材５２２（５２２ａ，５２２ｂ）は可撓性を有するフイルム状の部材であり、配線パターン５２３（５２３ａ，５２３ｂ）は例えば銅等から形成されている。また、図示しないが例えばフレーム５０５等に固定される面には両面接着シートが接着されている。これにより、フレキシブル基板５０３によって液晶パネル等のフレーム５０５からの飛び出しや位置ずれ等を防ぐことが可能となる。
【０１８１】
更にフレキシブル基板５０３は、本体部５２４と、該本体部５２４から突出する枝部としての右側分岐部５２５とを有しており、該右側分岐部５２５は図示しない外部回路に電気的に接続されている。
【０１８２】
また、本体部５２４は液晶パネル側の端に図示しない本体部接続用端子が形成されており液晶パネル５０２の外部用端子２１に図示しないＡＣＦを介して電気的に接続されている。
【０１８３】
更に本体部５２４は、例えば図１２、図１３及び図１４に示すように第１基板７に接続された側と反対側が、フレーム５０５の外側に一旦出て、そのフレーム５０５の外壁に沿い第１張出し部側に回りこむように折り曲げられ、表示面側で窪んだ該第１張出し部１６に接着固定されている。
【０１８４】
また、右側分岐部５２５は例えば図１２及び図１３に示すように本体部５２４の右側から分岐しており、該本体部５２４のベース基材５２２ａ上に設けられた配線パターン５２３ａの一部が右側分岐部５２５のベース基材５２２ｂ上に設けられた配線パターン５２３ｂに電気的に接続されている。
【０１８５】
更に右側分岐部５２５は、例えば図１２及び図１３に示すように第１張出し部１６に固定された本体部５２４の図面に向かって略右側から突出して延設されており、フレーム５０５の外面である側壁に沿うように第１張出し部側から第２張出し部側に回りこむように折り曲げられ、第２張出し部１７にその一部が接着固定されている。
【０１８６】
具体的には、第２張出し部側に回りこんだ右側分岐部５２５は例えば図９及び図１０に示すように該第２張出し部１７に実装された液晶駆動用ＩＣ５２０を避けるように第２張出し部１７にその一部が接着固定されている。
【０１８７】
また、右側分岐部５２５は例えば図１２及び図１３に示すように第２張出し部１７に接着固定された部分の更に先が、フレーム５０５の開口部から外に延設されており、その先の端部に外部回路に電気的に接続するための図示しないコネクタ等が設けられている。
【０１８８】
これにより、表示面より一段窪んだ第１張出し部１６にフレキシブル基板３の本体部５２４の一部を配置することで、省スペース化が図れ、液晶表示装置５０１をより薄型化できる。
【０１８９】
また、右側分岐部５２５を第１張出し部側から第２張出し部側に回り込ませるように折り曲げたことで、小さく折畳むことによる右側分岐部５２５上の配線パターン５２３ｂが途中で断線する危険を防ぐことができる。
【０１９０】
次に、フレーム５０５は例えば図１２、図１３及び図１４に示すように液晶パネル５０２側に開放された略矩形状の箱型の形状で内側に凹部５３３を有しており、その凹部５３３に丁度照明装置４０４及び液晶パネル５０２が収まるように形成されている。具体的には、その凹部５３３の内側底面５３４と照明装置４０４の例えば反射シート３１とが図示しない両面接着シート等により接着固定されている。
【０１９１】
また、フレーム５０５は図１２、図１３及び図１４に示すように底部としての内側底面５３４と、液晶パネル５０２の側面に対応するように平行に形成されると共に、液晶パネル２の非表示領域Ｃ（第１張出し部１６）を挟むように形成された相対向する第１の側壁４３５（図１２中、第１張出し部１６に向かって右側の側壁）及び第２の側壁３６（図１２中、第１張出し部１６に向かって左側の側壁）とを有し、更に当該第１及び第２の側壁に挟まれた液晶パネル２の第１張出し部側の第３の側壁５３７を有する。
【０１９２】
更に第１の側壁４３５には、例えば図１４に示すように第２の側壁３６とで第１張出し部付近を挟むように第１側壁凹部４３８を有し、第３の側壁５３７はフレーム５０５の後述する内側底面に形成された開口部が、該第３の側壁５３７のやや左側寄りの下部に続いて形成されており、その上部に第３側壁凹部５４０が設けられている。
【０１９３】
第３側壁凹部５４０は、表示面側の第３の側壁５３７の上面（図中のＺ軸方向に向く面）が例えば図１４に示すように略中央付近で該上面から底面方向（図中のＺ軸方向）に向けて略フレキシブル基板の本体部５２４の厚さ分或は偏光板１２の厚さ分凹んでおり、その凹み５４０ａの横幅は該本体部５２４の幅分になるよう形成されている。
【０１９４】
また、第３側壁凹部５４０はその上面側の凹みと反対側の底面とに挟まれる外面（図中のＹ軸方向に向く面）もその外面から内側に向けて（図中のＹ軸方向）本体部５２４の厚さ分凹んでおり、その凹み５４０ｂの横幅は該本体部５２４の幅分になるよう形成されている。これにより、フレキシブル基板５０３の本体部５２４の貼付けにより本体部５２４がフレーム５０５の第３の側壁５３７からはみ出ることがなく液晶表示装置５０１を小型化でき、更に本体部５２４の位置決めが容易となる。
【０１９５】
更に内側底面５３４には、例えば図１３及び図１４に示すように第２張出し部１７に略重なるように開口部５４１が設けてあり、その開口部５４１付近に光源４２６が実装されている。
【０１９６】
次に、フレキシブル基板５０３は図１２及び図１３に示すように第１基板７の外部用端子２１に電気的に接続された本体部５２４が、例えば第３側壁凹部５４０の下面側の開口部５４１から一旦フレーム５０５の外側に延びて第１張出し部側に折り曲げられ、そのまま該第３側壁凹部５４０の外面の凹み５４０ｂを伝う。更に該本体部５２４は、該第３側壁凹部５４０の上面側の凹み５４０ａからフレーム５０５内に入り込み、その本体部５２４の一部が第１張出し部１６に配置され接着固定されている。勿論、該本体部５２４はその他の第３側壁凹部５４０等との接触面にも接着されている。
【０１９７】
また、本体部５２４から分岐した右側分岐部５２５は例えば図１２及び図１３に示すように第１側壁凹部４３８の上面側の凹み４３８ａから一旦フレーム５０５の外側に延びてそのまま該第１側壁凹部４３８の外面の凹み４３８ｂを伝い接着されている。
【０１９８】
更に外面の凹み４３８ｂに接着された右側分岐部５２５は、第１張出し部側から第２張出し部側に折り曲げられ、該第１側壁凹部４３８の上面側と反対側の開口部からフレーム５０５内に戻る。
【０１９９】
そして、右側分岐部５２５は例えば図１２及び図１３に示すように第１張出し部１６側から見て第１基板７の一辺側である第２の側壁３６に片寄って第２張出し部１７に実装されている液晶駆動用ＩＣ５２０を避けるように、当該一辺側の反対側である第１の側壁４３５側に空いているスペースに配置され、第２張出し部１７に接着固定されている。
【０２００】
また、その第２張出し部１７に接着固定された右側分岐部５２５は、更に例えば図１２に示すように本体部５２４が第２張出し部１７に配置されていない領域から、同じく本体部５２４が第３側壁凹部５４０ｂに貼着されていない第３側壁凹部５４０の下面側の開口部５４１を通りフレーム５０５の外に延在されることとなる。尚、その先端部は例えばコネクタ等により図示しない外部回路に電気的に接続されている。
【０２０１】
尚、上述した開口部５４１は例えば図１４に示すようにフレーム５０５の底面（内部底面）のフレキシブル基板側が切り取られている構造として形成されているが、これに限られるものではなく、例えば穴や切欠き、略矩形状等であってもよい。
【０２０２】
また、上述の第１側壁凹部４３８及び第３側壁凹部５４０の夫々の上面側及び外面の凹みは夫々右側分岐部５２５及び本体部５２４の厚さ及び幅と略同じ大きさで凹んでいるとしたが、これに限られるものではなく例えばそれらの大きさより少し大きめであっても勿論よい。これにより、多少の誤差もカバーできることとなり製造コストを低減できる。
【０２０３】
このように本変形例によれば、液晶駆動用ＩＣ５２０が第２張出し部１７の第１基板７の一辺側、例えば第２の側壁３６側に片寄って備えられ、右側分岐部５２５の一部が、当該液晶駆動用ＩＣ５２０を避けるように第２張出し部１７に配置されているので、液晶駆動用ＩＣ上にフレキシブル基板５０３を配置することによる液晶パネル５０２の厚さが厚くなること等を防止することが可能となる。
【０２０４】
（第３の実施形態・電子機器）
【０２０５】
次に、上述した液晶表示装置１，１０１，２０１，４０１，５０１を備えた本発明の第３の実施形態に係る電子機器について説明する。尚、第１の実施形態、第２の実施形態、変形例１、変形例２及び変形例３の構成要素と共通する構成要素については、第１の実施形態、第２の実施形態、変形例１、変形例２及び変形例３の構成要素と同一の符号を付しその説明を省略する。
【０２０６】
図１５は本発明の第３の実施形態にかかる電子機器の表示制御系の全体構成を示す概略構成図である。
【０２０７】
電子機器３００は、表示制御系として例えば図１５に示すように液晶パネル２及び表示制御回路３９０などを備え、その表示制御回路３９０は表示情報出力源３９１、表示情報処理回路３９２、電源回路３９３及びタイミングジェネレータ３９４などを有する。
【０２０８】
また、液晶パネル２には表示領域Ｉを駆動する駆動回路３６１を有する。
【０２０９】
表示情報出力源３９１は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などからなるメモリと、磁気記録ディスクや光記録ディスクなどからなるストレージユニットと、デジタル画像信号を同調出力する同調回路とを備えている。更に表示情報出力源３９１は、タイミングジェネレータ３９４によって生成された各種のクロック信号に基づいて、所定フォーマットの画像信号などの形で表示情報を表示情報処理回路３９２に供給するように構成されている。
【０２１０】
また、表示情報処理回路３９２はシリアル−パラレル変換回路、増幅・反転回路、ローテーション回路、ガンマ補正回路、クランプ回路などの周知の各種回路を備え、入力した表示情報の処理を実行して、その画像情報をクロック信号ＣＬＫと共に駆動回路３６１へ供給する。また、電源回路３９３は、上述した各構成要素に夫々所定の電圧を供給する。
【０２１１】
このように本実施形態によれば、電子機器３００に備えられた例えば液晶表示装置１は、フレキシブル基板３の本体部２４及び右側分岐部２５を折り曲げ、偏光板１２から張出した第１基板７の第１張出し部１６に右側分岐部２５の一部を配置し接着固定することとしたので、液晶表示装置１の表示面となる偏光板１２より該偏光板分窪んだ部分にフレキシブル基板の右側分岐部２５を配置でき、少なくともその窪んだ分液晶表示装置１の厚さを薄くすることが可能となる。
【０２１２】
また、電子機器３００に備えられた例えば液晶表示装置１は、フレーム５の外面である例えば第１の側壁３５と第３の側壁３７とに夫々右側分岐部２５と本体部２４との少なくとも一部が納まるような第１側壁凹部及び第３側壁凹部３８，４０を有することとしたので、本体部２４や右側分岐部２５のフレーム外面からのはみ出しを防止できる。これにより、液晶表示装置１の小型化、薄型化をより図ることが可能となる。また、本体部２４や右側分岐部２５を容易に該凹部に収めることができ、該本体部２４や右側分岐部２５の位置決めがより容易となる。
【０２１３】
特に最近の電子機器にあっては、小型化、薄型化がより求められており、簡単な構造で小型化、薄型化できる本発明の意義は大きいといえる。
【０２１４】
具体的な電子機器としては、携帯電話機やパーソナルコンピュータなどの他に液晶表示装置が搭載されたタッチパネル、プロジェクタ、液晶テレビやビューファインダ型、モニタ直視型のビデオテープレコーダ、カーナビゲーション、ページャ、電子手帳、電卓、ワードプロセッサ、ワークステーション、テレビ電話、ＰＯＳ端末等が挙げられる。そして、これらの各種電子機器の表示部として、上述した例えば液晶表示装置１，１０１，２０１，４０１，５０１が適用可能なのは言うまでもない。
【０２１５】
なお、本発明の電気光学装置及び電子機器は、上述した例に限定されるものではなく、本発明の要旨を逸脱しない範囲において種々変更を加え得ることは勿論である。また、本発明の要旨を逸脱しない範囲において、上記各実施例を組み合わせても良い。
【０２１６】
例えば、上述した電気光学装置はいずれも液晶パネルを有する液晶表示装置であるが、無機或は有機エレクトロルミネッセンス装置、プラズマディスプレイ装置、電気泳動ディスプレイ装置、電子放出素子を用いた装置（Ｆｉｅｌｄ  Ｅｍｉｓｓｉｏｎ  Ｄｉｓｐｌａｙ及びＳｕｒｆａｃｅ‐Ｃｏｎｄｕｃｔｉｏｎ  Ｅｌｅｃｔｒｏｎ‐Ｅｍｉｔｔｅｒ Ｄｉｓｐｌａｙ等）などの各種電気光学装置であってもよい。
【０２１７】
以上、好ましい実施形態を上げて本発明を説明したが、本発明は上述したいずれの実施形態にも限定されず、本発明の技術思想の範囲内で適宜変更して実施できる。
【０２１８】
例えば、上述の実施形態や変形例ではパッシブマトリクス型の液晶表示装置について説明したがこれに限られるものではなく、例えば薄膜トランジスタ素子アクティブマトリクス型、薄膜ダイオード素子アクティブマトリクス型の液晶表示装置であってもよい。更には、反射半透過型に限らず透過型や反射型であってもよい。これにより、多種多様な液晶表示装置についても、簡単な構造で液晶パネルの省スペース化を図ることができ、液晶表示装置の更なる薄型化、小型化が可能となる。
【０２１９】
また、上述の実施形態や変形例ではフレームに第１側壁凹部、第２側壁凹部及び第３側壁凹部の少なくとも第１側壁凹部及び第３側壁凹部を設ける場合について説明したがこれに限られるものはなく、それらの側壁凹部の全てを設けない場合やそれらの側壁凹部のいずれか例えば第１側壁凹部３８だけを設けない場合、更には変形例１のように全て設けることとすることも可能である。これにより、より多種多様な液晶表示装置に無駄なく対応でき製造コストの軽減を図ることができる。
【０２２０】
更に上述の第１の実施形態及び第２の実施形態、変形例３ではフレキシブル基板の枝部として右側分岐部を説明したがこれに限られるものではなく、例えばフレキシブル基板の本体部の反対側から突出する左側分岐部を枝部としてもよい。これにより、多種多様な液晶表示装置についても、簡単な構造で液晶パネルの省スペース化を図ることができ、更なる薄型化、小型化が可能となる。また、この場合変形例３の液晶駆動用ＩＣは第１の側壁４３５側に片寄らせ、第２張出し部１７の第２の側壁３６側に空いたスペースに枝部である左側分岐部を配置することでも、液晶表示装置の薄型化が図れる。
【図面の簡単な説明】
【０２２１】
【図１】第１の実施形態に係る液晶表示装置の概略斜視図である。
【図２】図１のＡ−Ａ線断面図（液晶駆動用ＩＣ及び光源は切断していない。）である。
【図３】第１の実施形態に係る液晶表示装置の概略分解斜視図である。
【図４】第１の実施形態に係るフレームに照明装置等を収納した状態の説明図である。
【図５】第１の実施形態に係る本体部を折り曲げた状態の説明図である。
【図６】変形例１に係る液晶表示装置の概略斜視図である。
【図７】変形例１に係るフレームの概略斜視図である。
【図８】変形例２に係る液晶表示装置の概略斜視図である。
【図９】第２の実施形態に係る液晶表示装置の概略斜視図である。
【図１０】図９のＧ−Ｇ線断面図（液晶駆動用ＩＣ及び光源は切断しない。）である。
【図１１】第２の実施形態に係るフレームの概略斜視図である。
【図１２】変形例３に係る液晶表示装置の概略斜視図である。
【図１３】変形例３に係る図１２のＨ−Ｈ線断面図（光源は切断していない。）である。
【図１４】変形例３に係るフレームの概略斜視図である。
【図１５】第３の実施形態に係る電子機器の表示制御系の概略構成図である。
【符号の説明】
【０２２２】
１，１０１，２０１，４０１，５０１  液晶表示装置、  ２，５０２  液晶パネル、  ３，１０３，２０３，４０３，５０３  フレキシブル基板、  ４，４０４  照明装置、  ５，１０５，４０５，５０５  フレーム、  ６  シール材、  ７  第１基板、  ８  第２基板、  ９  液晶、  １０  セグメント電極、  １１，１４  オーバーコート層、  １２，１５  偏光板、  １３  コモン電極、  １６  第１張出し部、  １７  第２張出し部、  １８  セグメント電極用配線、  １９  コモン電極用配線、  ２０，５２０  液晶駆動用ＩＣ、  ２１  外部用端子、  ２２，１２２，２２２，４２２，５２２  ベース基材、  ２３，１２３，２２３，４２３，５２３  配線パターン、  ２４，１２４，２２４，４２４，５２４  本体部、  ２５，１２５，２２５，４２５，５２５  右側分岐部、  ２６，４２６  光源、  ２７  導光板、  ２８，２９  プリズムシート、  ３０  拡散シート、  ３１  反射シート、  ３２  遮光シート、  ３３，４３３，５３３  凹部、  ３４，４３４，５３４  内側底面、  ３５，４３５  第１の側壁、  ３６，１３６  第２の側壁、  ３７，４３７，５３７  第３の側壁、  ３８，４３８  第１側壁凹部、  ４０，４４０，５４０  第３側壁凹部、  ４１，４４１，５４１  開口部、  １２６，２２６  左側分岐部、  １３９  第２側壁凹部、  ３００  電子機器、  ３６１  駆動回路、  ３９０  表示制御回路、  Ｂ  表示領域、  Ｃ  非表示領域
【図１】
2006098633.tif 000003
【図２】
2006098633.tif 000004
【図３】
2006098633.tif 000005
【図４】
2006098633.tif 000006
【図５】
2006098633.tif 000007
【図６】
2006098633.tif 000008
【図７】
2006098633.tif 000009
【図８】
2006098633.tif 000010
【図９】
2006098633.tif 000011
【図１０】
2006098633.tif 000012
【図１１】
2006098633.tif 000013
【図１２】
2006098633.tif 000014
【図１３】
2006098633.tif 000015
【図１４】
2006098633.tif 000016
【図１５】
2006098633.tif 000017